(57)【要約】【課題】身体の各部位を流れる空気の量を調節することができる空調衣服を提供する。【解決手段】身体の所定部位を覆うと共に、身体又は下着との空間に、身体又は下着の表面に沿って空気を案内するための服地部１０と、服地部と身体又は下着との空間に空気を流通させるための一又は複数のファン５０，５０と、ファンに電力を供給する電源部６０と、服地部の袖口部１０１に設けられた切込み部の開口の度合を調節することにより、袖部から外部に流出する空気の量を調節する袖部調節部４１，４１と、服地部の裾部１０２に設けられた切込み部の開口の度合を調節する裾部調節部４２，４２とを備える。各調節部の開口の度合を調節することにより、流れる空気の量を調節して、効果的な冷却を行なう。【選択図】図１
2006132040.tif 000002
【特許請求の範囲】
【請求項１】
身体の所定部位を覆うと共に、身体又は下着との空間に、身体又は下着の表面に沿って空気を案内するための服地部と、
前記服地部と身体又は下着との空間に空気を流通させるための一又は複数の送風手段と、
前記送風手段に電力を供給する電源手段と、
少なくとも、前記服地部の袖部に設けられた切込み部の開口の度合を調節することにより、袖部から外部に流出する空気の量を調節する袖部調節手段を含む調節手段と、
を備えることを特徴とする空調衣服。
【請求項２】
前記調節手段は、前記服地部の脚部に設けられた切込み部の開口の度合を調節することにより、脚部から外部に流出する空気の量を調節する脚部調節手段を含むものであることを特徴とする請求項１記載の空調衣服。
【請求項３】
前記調節手段は、前記服地部の襟部に設けられた切込み部の開口の度合を調節することにより、襟部から外部に流出する空気の量を調節する襟部調節手段を含むものであることを特徴とする請求項１又は２記載の空調衣服。
【請求項４】
前記服地部は前面が開閉手段により開閉自在に形成され、前記開閉手段が前記襟部調節手段を兼ねていることを特徴とする請求項３記載の空調衣服。
【請求項５】
前記調節手段は、前記服地部の背部に形成された切込み部の開口の度合を調節することにより、背部から外部に流出する空気の量を調節する背部調節手段を含むものであることを特徴とする請求項１、２、３又は４記載の空調衣服。
【請求項６】
前記調節手段は、ファスナーを用いて開口の度合を調整するものであることを特徴とする請求項１、２、３、４又は５記載の空調衣服。
【請求項７】
身体の所定部位を覆うと共に、身体又は下着との空間に、身体又は下着の表面に沿って空気を案内するための服地部と、
前記服地部と身体又は下着との空間に空気を流通させるための一又は複数の送風手段と、
前記送風手段に電力を供給する電源手段と、
前記服地部の一部を撓ませることにより、空気の流通路を拡張する流通路拡張手段を設けたことを特徴とする空調衣服。
【請求項８】
前記流通路拡張手段は、水平方向において任意の距離を隔てた前記服地部の内側の２箇所に各々の一端が取着された一組の接続部材を接続することにより、前記２箇所の間の服地部が外側に撓むようにしたものであることを特徴とする請求項７記載の空調衣服。
【請求項９】
身体の所定部位を覆うと共に、身体又は下着との空間に、身体又は下着の表面に沿って空気を案内するための服地部と、
前記服地部と身体又は下着との空間に空気を流通させるための一又は複数の送風手段と、
前記送風手段に電力を供給する電源手段と、
前記服地部を絞るようにして、前記服地部と身体又は下着との空間を狭めて、前記服地部と身体又は下着との空間に流れる空気の量を調節する流量調節手段を備えることを特徴とする空調衣服。
【請求項１０】
前記流量調節手段は、帯状部材を用いて前記服地部の腰部を絞るものであることを特徴とする請求項９記載の空調衣服。
【発明の詳細な説明】
【技術分野】
【０００１】
本発明は、身体の表面に略平行な空気を流通させることにより身体を冷却する空調衣服に関する。
【背景技術】
【０００２】
近年、身体を冷却する空調衣服が広く知られるようになってきた（例えば、特許文献１参照）。かかる空調衣服は、服地部と身体又は下着との間に空気を流通させるための流通路と、服地部に取付けられたファンとを備える。ファンは、通常、服地の背中側の下部に取付けられる。空調衣服を着用し、ファンを駆動すると、ファンにより服地部と身体又は下着との空間に空気の流れが生じ、空気が身体の表面に沿って流通するようになる。これにより、身体の表面における湿度勾配を大きくして、身体が必要とする放熱量に応じて排出される汗を気化させることができる。この結果、身体から気化熱が奪われ、身体が冷却される。
【０００３】
【特許文献１】国際公開第０２／０６７７０８号パンフレット
【発明の開示】
【発明が解決しようとする課題】
【０００４】
空調衣服、例えばジャンパー型の空調衣服では、ファンの駆動により服地部と身体又は下着との空間に送り込んだ空気は、主に襟元の開口部や両方の袖口の開口部から外部に排出される。ところで、服地部と身体又は下着との空間を流れる空気の全体の量は、ファンの回転数を変えることにより、変えることができる。しかしながら、従来の空調衣服では、例えば襟元が冷えすぎるので、襟元の開口部から排出される空気の量を少なくしようとして、ファンの回転数を低くすると、これにより両方の袖口の開口部から排出される空気の量も減少し、両腕の部分を十分に冷却することができなくなるという問題があった。
【０００５】
また、従来の空調衣服では、例えば身体の腹部のように空気の流れやすい部分と、身体の背中の上部のように空気の流れ難い部分とがあり、したがって、身体を均一に冷却することができなかった。
【０００６】
更に、仮に空調衣服により身体を均一に冷却しても、冷やされたときの感じ方には個人差があり、人によって両腕部の冷却が足りないと感じたり、逆に両腕部の冷却が強すぎると感じたりする。また、着用時の体調や環境によっても冷やされたときの感じ方は異なり、例えば左腕だけ冷却が強すぎると感じたりすることがある。このような場合でも、従来の空調衣服では、ファンによる全体の風量を調節できるだけである。したがって、従来の空調衣服では、着用者の体調や着用時の環境等に応じた効果的な冷却を行なうことができないという問題があった。
【０００７】
本発明は上記事情に基づいてなされたものであり、身体の各部位を流れる空気の量を調節することができる空調衣服を提供することを目的とする。
【課題を解決するための手段】
【０００８】
上記の目的を達成するための請求項１記載の発明に係る空調衣服は、身体の所定部位を覆うと共に、身体又は下着との空間に、身体又は下着の表面に沿って空気を案内するための服地部と、前記服地部と身体又は下着との空間に空気を流通させるための一又は複数の送風手段と、前記送風手段に電力を供給する電源手段と、少なくとも、前記服地部の袖部に設けられた切込み部の開口の度合を調節することにより、袖部から外部に流出する空気の量を調節する袖部調節手段を含む調節手段と、を備えることを特徴とする。
【０００９】
上記の目的を達成するための請求項２記載の発明に係る空調衣服は、請求項１記載の発明において、前記調節手段は、前記服地部の脚部に設けられた切込み部の開口の度合を調節することにより、脚部から外部に流出する空気の量を調節する脚部調節手段を含むものであることを特徴とする。
【００１０】
上記の目的を達成するための請求項３記載の発明に係る空調衣服は、請求項１又は２記載の発明において、前記調節手段は、前記服地部の襟部に設けられた切込み部の開口の度合を調節することにより、襟部から外部に流出する空気の量を調節する襟部調節手段を含むものであることを特徴とする。
【００１１】
上記の目的を達成するための請求項４記載の発明に係る空調衣服は、請求項３記載の発明において、前記服地部は前面が開閉手段により開閉自在に形成され、前記開閉手段が前記襟部調節手段を兼ねていることを特徴とする。
【００１２】
上記の目的を達成するための請求項５記載の発明に係る空調衣服は、請求項１、２，３又は４記載の発明において、前記調節手段は、前記服地部の背部に形成された切込み部の開口の度合を調節することにより、背部から外部に流出する空気の量を調節する背部調節手段を含むものであることを特徴とする。
【００１３】
上記の目的を達成するための請求項６記載の発明に係る空調衣服は、請求項１、２、３、４又は５記載の発明において、前記調節手段は、ファスナーを用いて開口の度合を調整するものであることを特徴とするとする。
【００１４】
上記の目的を達成するための請求項７記載の発明に係る空調衣服は、身体の所定部位を覆うと共に、身体又は下着との空間に、身体又は下着の表面に沿って空気を案内するための服地部と、前記服地部と身体又は下着との空間に空気を流通させるための一又は複数の送風手段と、前記送風手段に電力を供給する電源手段と、前記服地部の一部を撓ませることにより、空気の流通路を拡張する流通路拡張手段を設けたことを特徴とする。
【００１５】
上記の目的を達成するための請求項８記載の発明に係る空調衣服は、請求項７記載の発明において、前記流通路拡張手段は、水平方向において任意の距離を隔てた前記服地部の内側の２箇所に各々の一端が取着された一組の接続部材を接続することにより、前記２箇所の間の服地部が外側に撓むようにしたものであることを特徴とする。
【００１６】
上記の目的を達成するための請求項９記載の発明に係る空調衣服は、身体の所定部位を覆うと共に、身体又は下着との空間に、身体又は下着の表面に沿って空気を案内するための服地部と、前記服地部と身体又は下着との空間に空気を流通させるための一又は複数の送風手段と、前記送風手段に電力を供給する電源手段と、前記服地部を絞るようにして、前記服地部と身体又は下着との空間を狭めて、前記服地部と身体又は下着との空間に流れる空気の量を調節する流量調節手段を備えることを特徴とする。
【００１７】
上記の目的を達成するための請求項１０記載の発明に係る空調衣服は、請求項９記載の発明において、前記流量調節手段は、帯状部材を用いて前記服地部の腰部を絞るものであることを特徴とする。
【発明の効果】
【００１８】
本発明によれば、少なくとも、服地部の袖部に設けられた切込み部の開口の度合を調節することにより、袖部から外部に流出する空気の量を調節する袖部調節手段を備えることにより、服地部と身体又は下着との空間にながれる空気の量を調節して、従来の空調衣服に比べて、着用時の環境等に応じたより効果的な冷却を行なうことかできる。
【発明を実施するための最良の形態】
【００１９】
以下に、図面を参照して、本願に係る発明を実施するための最良の形態について説明する。先ず、本発明の空調衣服の冷却原理について説明する。人間は皮膚や体で暑さを検出し、この情報を脳で処理し、体が要求する冷却量に対応した量の汗を出し、汗の気化熱により身体を冷却するようになっている。以下、この冷却作用を生理クーラーと称する。身体から出た汗を１００％蒸発することができれば、その人にとってその時に丁度よい放熱を行うことができる。汗を蒸発させるためには空気が必要であり、空調衣服は、身体又は下着の表面に沿って大量の空気を流すことが必要である。空調衣服は、身体又は下着の表面に沿って大量の空気を流すことにより、汗が１００％蒸発できる範囲を拡大することができる。但し、空調衣服を着用していても空気の流量が少なければ、そよ風が吹いている状況下で夏用の通気性のよいシャツを着用している方がかえって快適さが得られることもある。すなわち、空調衣服を着用する場合、身体又は下着の表面に沿って流す空気の流量が少ないと、あまり冷却効果が得られない。したがって、生理クーラーが有効に機能する範囲を拡大するためには、空調衣服の着用者が成人である場合、実用的には３リットル／秒以上、好ましくは５リットル／秒以上の空気の流量が必要である。
【００２０】
ところで、空調衣服に上述した量の空気を流しても、従来の空調衣服では、身体の各部位に流れる空気の量を調節して、着用者にとって効果的な冷却を行なうことはできなかった。本発明は、かかる従来の空調衣服の問題点を解決するものである。
【００２１】
［第１実施形態］  図１（ａ）は本発明の第１実施形態である空調衣服の概略正面図、（ｂ）は本発明の第１実施形態である空調衣服の概略背面図、図２は第１実施形態である空調衣服の図１（ｂ）におけるＡ−Ａ’矢視概略断面図であり、（ａ）は流通路拡張部を使用していないときの状態を示し、（ｂ）は流通路拡張部を使用しているときの状態を示す。
【００２２】
本実施形態の空調衣服は、図１及び図２に示すように、身体の所定部位を覆うと共に、身体又は下着の表面に沿って空気を案内するための服地部１０と、服地部１０の前部を開閉するためのファスナー（開閉手段）２０と、服地部１０と身体又は下着との空間である空気流通部３０と、外部に排出する空気の流量を調節する調節部４０と、空気流通部３０を流れる空気の量を調節する流量調節部７０と、空気流通部３０の空間を拡張する流通路拡張部８０と、空気流通部３０に空気を流通させるための二つのファン５０，５０と、ファン５０，５０に電力を供給する電源部６０を備える。なお、本実施形態では、調節部４０と表記したときには、後述する袖部調節部４１，４１と、裾部調節部４２，４２と、背部調節部４３の全体を示すものとする。
【００２３】
服地部１０は、身体の所定部位を覆うものであり、本実施形態の服地部１０は、上着部とズボン部がつながった、所謂つなぎの作業服である。また、服地部１０は、服地部１０と身体又は下着との空間において、ファン５０，５０により送り込まれた空気を身体又は下着の表面に沿って案内するという役割をも果たす。このため、服地部１０の素材としては、服地部１０と身体又は下着との間の空間において空気をスムーズに流すことができ、且つ空気が外部にあまり漏れないようなもの、例えば綿や化繊等で織られた布や不織布等を用いることが望ましい。本発明者の実験によれば、送風圧が約３０パスカル（Pa）であるときに、空調衣服の１m2の表面から外部に漏れる空気の量が約１０リットル／秒、以下となる素材を用いることが望ましい。
【００２４】
服地部１０の前部の開閉部には、図１（ａ）に示すように、ファスナー２０が設けられている。このファスナー２０は、空調衣服を着用する際にその前部を開閉するためのものである。このファスナー２０は、本発明の襟部調節手段を兼ねている。なお、このファスナーの代わりに、面状テープやボタン等を用いて空調衣服の前部を開閉するようにしてもよい。
【００２５】
また、本実施形態の服地部１０の袖口部１０１は、伸縮性のある素材を用いて手首に密着するように形成されている。裾端部１０２も、伸縮性のある素材を用いて足首に密着するように形成されている。したがって、本実施形態の服地部１０の袖口部１０１や裾端部１０２から空気が外部に漏れることは殆どない。
【００２６】
空気流通部３０は、服地部１０と身体又は下着と間に形成される空間である。ファン５０，５０により空気流通部３０に送り込まれた空気は、この空気流通部３０内を身体又は下着に沿っての流通し、本実施形態の場合、服地部１０の襟部１０３の開口部や調節部４０の開口部から外部に排出される。
【００２７】
本実施形態の調節部４０は、ファスナーを用いて外部に排出される空気の量を調節するものであり、服地部１０の袖口部１０１に設けられた切込み部の開口の度合を調節することにより、袖部から外部に流出する空気の量を調節する一組の袖部調節部（袖部調節手段）４１，４１と、服地部１０の脚部の裾部１０２に設けられた切込み部の開口の度合を調節することにより、脚部から外部に流出する空気の量を調節する一組の裾部調節部（脚部調節手段）４２，４２と、服地部の背部の上部に設けられた切込み部の開口の度合を調節することにより、背部から外部に流出する空気の量を調節する背部調節部４３とを含んでいる。背部調節部４３は、空気の流れ難い背部の上部に形成された切込み部にファスナーを設けたものである。この背部調節部４３の開口の度合を調節することにより、従来の空調衣服に比べて背部の上部にも、より多くの空気を流通させることができる。なお、本実施形態では、調節部４０の開口の度合を調節するのにファスナーを使用する場合について説明したが、ファスナーの代わりに、ボタンやホックや面状ファスナー等を使用してもよい。
【００２８】
本実施形態の流量調節部７０は、腰部に一箇所設けられており、ベルト状部材７１により服地部１０の腰部を絞るようにして、腰部における服地部１０と身体又は下着との空間を狭めて、腰部に流れる空気の量を調節する。本実施形態の流量調節部７０は、ベルト状部材７１を用いて腰部を絞ることにより、下半身に流れる空気の量を調節するものである。通常の場合、ズボン部よりも上着部の方により多くの空気を流通させることが望ましいので、この流量調節部７０及び裾部調節部４２，４２により、ズボン部に流れる空気の量を調節する。なお、本実施形態では、流量調節部７０を胴部の腰部に設けているが、本発明はこれに限定されるものではなく、胴部の他の部分、例えば胸部等に設けても良いし、或いは、腕部や脚部に設けるようにしてもよい。
【００２９】
流通路拡張部８０は、図２に示すように、水平方向において任意の距離を隔てた服地部の背部の内側の２箇所Ｘ1，Ｘ2の各々に面状テープ８０ａ，８０ｂの一端を取着したものである。流通路拡張部８０を使用しないときには、同図（ａ）に示すように、背部の内側の２箇所Ｘ1，Ｘ2の間が撓まないように、面状テープ８０ａ，８０ｂを接続する。或いは、面状テープ８０ａ，８０ｂを接続しないようにしておく。また、流通路拡張部８０を使用するときには、２箇所Ｘ1，Ｘ2の間の服地部が外側に撓むように二つの面状テープ８０ａ，８０ｂを接続する。これにより、背部の空気流通部を拡張し、背部に流れる空気の量を多くすることができる。また、二つの面状テープ８０ａ，８０ｂを繋いだときの長さを調節することにより、この流通路の大きさを調節して、背部に流れる空気の量を調節することができる。
【００３０】
ファン５０，５０は、服地部１０と身体又は下着との空間に空気の流れを強制的に生じさせるものである。二つのファン５０，５０は、外部の空気を服地部１０内に取り込む方向に回転する。すなわち、本実施形態ではファン５０，５０の送風方式としては吸気方式を採用している。ファン５０，５０の送風方式を吸気方式とすると、外部から服地部１０内に流入する空気によって、服地部１０と身体又は下着との間に、空気の流通空間である空気流通部３０が自動的に形成される。
【００３１】
電源部６０は、ファン５０，５０に電力を供給するためのものである。電源部６０は、例えば服地部１０の裏面に設けられたポケットに収納される。ここでは、電源部６０として、経済性の観点から二次電池を用いている。電源部６０と二つのファン５０，５０とは電源ケーブル６１により接続されている。また、電源部６０と二つのファン５０，５０との間には、電源をオン・オフするための電源スイッチ（不図示）が設けられている。
【００３２】
次に、本実施形態の空調衣服の使用方法について説明する。着用者は、本実施形態の空調衣服を着用した後、袖部調節部４１，４１、裾部調節部４２，４２、背部調節部４３の各ファスナーを用いて、各々の調節部４０の開口の度合を調節する。また、服地部１０の前部のファスナー２０を用いて服地部１０の前部の開口の度合を調節する。また、流量調節部７０のベルト状部材７１を絞るようにして、ズボン部に流れる空気の量を調節する。更に、必要に応じて、流通路拡張部８０の面状テープ８０ａ，８０ｂを繋いで、背部の空気流通部を拡張する。
【００３３】
上記のようにして空調衣服を着用した後、電源スイッチ（不図示）をオンにしてファン５０に電力を供給する。ファン５０に電力を供給して駆動すると、空気（外気）が服地部１０内に送り込まれる。この送り込まれた空気により、服地部１０と身体又は下着との間に身体の表面に略平行な空気を流すための空間である空気流通部３０が自動的に形成され、全身を包み込むような空気の流れが生ずる。送り込まれた空気は、このようにして空気流通部３０内を通って、襟部１０３の開口部や袖口部１０１の袖部調節部４１，４１等から外部に送出される。このとき、例えば各調節部４０から流れ出す空気の量は、調節部４０のファスナーを用いて開口の度合を変えることにより調節することができる。これにより、本実施形態の空調衣服の着用者は、身体の各部位を流れる空気の量を調節して、着用時の体調や環境に合わせて、効果的な身体の冷却を行なうことができる。例えば、軽作業を行なう場合は、各調節部４０の開口の度合を小さくし、重作業を行なう場合は、各調節部４０の開口の度合を大きくすることにより、作業内容に応じて出る汗を効果的に気化させて身体を冷却することかできる。
【００３４】
また、作業内容に応じて、例えば、袖口近傍から空気が排出されると困るときには、その作業時間中、袖部調節部４１，４１のファスナーを閉めることにより、容易に袖口の近傍から空気が外部に排出されるのを阻止することができる。更に、例えば、手のひらに物を載せて作業を行っているときには、空調衣服の袖部から腕と平行に空気を排出すると、排出される空気の風圧で手のひらに載せた物が飛ばされたり、物の位置がずれたりするので、好ましくない。しかしながら、腕と直角な方向に空気を排出するようにすれば、風圧で手のひらに載せた物が飛ばされたり、位置がずれたりすることはない。したがって、このような作業を行なうときには、袖部調節部４１，４１のファスナーを開けることにより、空調衣服から排出する空気の風圧で、手のひらに載せた物を飛ばしたり、位置をずらしたりすることなく、しかも腕部を冷却することができる。
【００３５】
また、脚部が冷えすぎる場合には、裾部調節部４２，４２のファスナーを用いて開口の度合を変えて、両脚部の裾部から排出される空気の量を調節したり、さらに流量調節部７０のベルト状部材７１を用いてズボン部に流れる空気の量を調節したりすることにより、脚部の冷え過ぎを調節することができる。
【００３６】
更に、一般的に、図２（ａ）に示すように、空調衣服の背部は、身体又は下着との間隔を十分に確保できないので、空気が流れ難く、したがって背部から出る汗を十分に気化することがでないことが多い。特に、下を向いて作業をしているとき、或いは、しゃがんで作業を行っているときには、背部に空気が流れ難い。このようなときには、流通路拡張部８０を使用して、同図（ｂ）に示すように、背部の二箇所Ｘ1，Ｘ2の間を撓ませ背部の空気流通部を拡張することにより、背部にも、汗を十分に気化させることができる量の空気を流すことができる。
【００３７】
上記の本実施形態によれば、調節部４０の開口の度合を調節したり、前部のファスナー２０の開口の度合を調節したり、流量調節部７０のベルト部材７１の絞込みの度合を調節したり、さらに流通路拡張部８０の面状テープ８０ａの長さを調節することにより、身体の各部位を流れる空気の量を調節して、着用者に応じた、或いは着用者の作業環境等に応じた適切な冷却を行なうことができる。
【００３８】
また、上記の本実施形態によれば、袖口部１０１を伸縮性のある素材を用いて手首に密着するように形成し、更に袖部調節部４１，４１を設けているので、例えば作業内容に応じて、袖口部１０１及びその近傍からは空気が外部に排出されないようにすることもできる。
【００３９】
［第２実施形態］  次に、本発明の第２実施形態について説明する。図３（ａ）は本発明の第２実施形態である空調衣服の概略正面図、（ｂ）はその概略背面図である。なお、第２実施形態である空調衣服の概略断面図は、図２に示す第１実施形態のものと同様であるので、省略する。
【００４０】
第２実施形態が第１実施形態と異なるのは、第１実施形態の空調衣服がつなぎ服であるのに対して、本実施形態の空調衣服がズボン部のないジャンパー等の上着である点である。他の部分は、第１実施形態のものと同様であるので、本実施形態において、第１実施形態のものと同一の機能を有するものには、同一の符号或いは対応する符号を付することにより、その詳細な説明を省略する。
【００４１】
本実施形態の服地部１０ａの下部１０５は、一般のジャンバー等と同様に、収縮性のある素材で形成され、着用者の腰部付近で身体に密着されるように形成されている。このため、服地部１０ａの下部１０５から服地部１０ａ内を流通する空気が外部に漏れるのを防止することができる。またしたがって、本実施形態では、第１実施形態の流量調節部７０に対応するものは設けられていない。
【００４２】
本実施形態の作用・効果が第１実施形態の作用・効果と異なるのは、服地部１０ａの下部１０５が腰部に密着しているので、この下部１０５から空気が外部に排出されない点である。その他の作用・効果は、第１の実施形態の作用・効果と同様であるので、その詳細な説明は省略する。
【００４３】
尚、本発明は上記の実施形態に限定されるものではなく、その要旨の範囲内において種々の変形が可能である。例えば、背部調節部４３は背部の上部だけでなく、腹部や上腕部や腿部等に設けるようにしてもよい。また、背部調節部は省略することも可能である。
【００４４】
また、上記の本実施形態では、流通路拡張部を背部に一箇所だけ形成しているが、二箇所以上形成するようにしてもよいし、また背部以外の他の部分に流通路拡張部を設けるようにしてもよい。例えば、流通路拡張部は、空調衣服の後ろ側の襟の直ぐ下に形成するようにしてもよい。これにより、襟の後ろ側の部分にも確実に空気を流して、背部の上部や首部の後ろ側を効果的に冷却することができる。この場合、背部調節部は省略することも可能である。更に、流通路拡張部は省略することも可能である。
【００４５】
また、上記の本実施形態では、袖部調節部４１，４１を袖口部の近傍に設けたが、袖部調節部４１，４１は、腕の肘や上腕の近くに設けるようにしてもよい。また、裾部調節部４２，４２を脚の裾部の近傍に設けたが、裾部調節部４２，４２は、膝や腿の近くに設けるようにしてもよい。また、これらの調節部は、１箇所に限定されるものではなく、複数箇所に設けるようにしてもよい。
【００４６】
また、上記の本実施形態では、服地部の前部を開閉することができるものである場合について説明したが、服地部の前部は開閉することができないものであってもよい。この場合、例えば、襟元の前後、或いは左右の少なくとも何れか一の位置にファスナーを用いた襟部調節部を設けるようにしてもよい。
【００４７】
また、上記の本実施形態では、流通路拡張部８０に面状テープを用いる場合について説明したが、流通路拡張部には、この面状テープの代わりに紐状部材を用いるようにしてもよい。
【００４８】
また、上記の第２の本実施形態では、服地部の下部を収縮性のある素材で形成し、服地部の下部から空気が外部に出ないようにしていたが、服地部の下部から空気が外部に排出できるようにしてもよい。
【００４９】
また、上記の本実施形態では、空調衣服としてつなぎの服や上着について説明したが、本発明はこれに限定されるものではなく、例えばレインコートや各種の作業服や事務服等に適用することができる。
【産業上の利用可能性】
【００５０】
以上説明したように、本発明の空調衣服は、少なくとも、服地部の袖部に設けられた切込み部の開口の度合を調節することにより、袖部から外部に流出する空気の量を調節する袖調節手段を備えているので、服地部と身体又は下着との空間に流れる空気の量を調節して、従来の空調衣服に比べて、着用時の環境等に応じたより効果的な冷却を行なうことかできる。したがって、本発明の空調衣服は、作業服や事務服やレインコート等の衣服に適用することができる。
【図面の簡単な説明】
【００５１】
【図１】（ａ）は本発明の第１実施形態である空調衣服の概略正面図、（ｂ）は本発明の第１実施形態である空調衣服の概略背面図である。
【図２】第１実施形態である空調衣服の図１（ｂ）におけるＡ−Ａ’矢視概略断面図であり、（ａ）は流通路拡張部を使用していないときの状態を示し、（ｂ）は流通路拡張部を使用しているときの状態を示す。
【図３】（ａ）は本発明の第２実施形態である空調衣服の概略正面図、（ｂ）はその概略背面図である。
【符号の説明】
【００５２】
１０    服地部
２０    ファスナー
３０    空気流通部
４１，４１    袖部調節部
４２，４２    裾部調節部
４３    背部調節部
５０    ファン
６０    電源部
７０    流量調節部
７１    ベルト状部材
８０    流通路拡張部
８０ａ，８０ｂ    面状テープ
１０１    袖口部
１０２    裾端部
１０３    襟部
【図１】
2006132040.tif 000003
【図２】
2006132040.tif 000004
【図３】
2006132040.tif 000005